(57)【特許請求の範囲】
【請求項１】
レーザー光源と、該レーザー光源から出射されたレーザー光を光学ディスクの記録面に集光する対物レンズと、該対物レンズを保持する２軸アクチュエータとを備えた光学ピックアップ装置であって、
対物レンズ方向に突出する半球形状を為すと共に該半球形状の頂部に凹部が形成され、該凹部の内面である第１の反射面とレーザー光源側に第２の反射面が形成された光路圧縮素子を上記レーザー光源と上記対物レンズとの間の光路上に配置し、
上記光路圧縮素子は上記レーザー光源から出射されて入光したレーザー光を上記第１の反射面と上記第２の反射面とで内面反射させて対物レンズ方向に出光させる
ことを特徴とする光学ピックアップ装置。
【発明の詳細な説明】
【０００１】
【発明の属する技術分野】
本発明は新規な光学ピックアップ装置に関する。詳しくは、レーザー光源から対物レンズまでの距離を短縮し、光学ピックアップ装置の小型化を可能にした新規な光学ピックアップ装置を提供しようとするものである。
【０００２】
【従来の技術】
光学ディスクの記録面にレーザー光源から出射されたレーザー光を対物レンズを通して照射して記録を行ったり、記録済の記録面にレーザー光源から出射されたレーザー光を対物レンズを通して照射しその戻り光を検出することによって信号の読み取りを行ったりする光学ピックアップ装置がある。
【０００３】
図３は従来の光学ピックアップ装置におけるレーザー光源と対物レンズと光学ディスクとの位置関係を概念的に示すものである。
【０００４】
光学ピックアップ装置の上方には光学ディスクａが位置され、光学ピックアップ装置内の下方側に半導体レーザー等のレーザー光源ｂが位置されている。そして、光学ピックアップ装置内の上方側でレーザー光の光路上には、対物レンズのフォーカシング調整及びトラッキング調整を行うための図示しない２軸アクチュエータに保持された上下に凸の対物レンズｃが位置されている。
【０００５】
しかして、レーザー光源ｂから出射されたレーザー光は対物レンズｃに向かい、レーザー光は対物レンズｃにより集光性を与えられて光学ディスクａの記録面に照射される。そして、光学ディスクａの記録面で反射されたレーザー光は、再び対物レンズｃを通り受光用の図示しないフォトダイオードに導かれ信号の読み取りが為される。
【０００６】
そして、上記したレーザー光源ｂから対物レンズｃまでの距離はレーザー光の光路長（以下、「Ｉ／Ｏ長」という。「Ｉ」はＩｍａｇｅ、「Ｏ」はＯｂｊｅｃｔの略である。）によって決定されている。
【０００７】
【発明が解決しようとする課題】
ところが、従来の光学ピックアップ装置にあっては、Ｉ／Ｏ長によって決定されたレーザー光源ｂから対物レンズｃまでの距離を短縮することは困難であり、光学ピックアップ装置内に必要とされるその距離分のスペースも小さくすることが出来なかった。このことが近年の光学ピックアップ装置の小型化及び／又は薄型化延いては光学ピックアップ装置が用いられる音響機器等の小型化及び／又は薄型化に支障を来す一因となっている。
【０００８】
そこで、本発明光学ピックアップ装置は、上記した問題点を克服し、レーザー光源と対物レンズとの間に光路圧縮素子を介在させてレーザー光源から対物レンズまでの距離を短縮し、光学ピックアップ装置の小型化及び／又は薄型化延いては光学ピックアップ装置が用いられる音響機器等の小型化及び／又は薄型化を図ることを課題とする。
【０００９】
【課題を解決するための手段】
そこで、本発明光学ピックアップ装置は、上記した課題を解決するために、レーザー光源と、該レーザー光源から出射されたレーザー光を光学ディスクの記録面に集光する対物レンズと、該対物レンズを保持する２軸アクチュエータとを備えた光学ピックアップ装置であって、対物レンズ方向に突出する半球形状を為すと共に該半球形状の頂部に凹部が形成され、該凹部の内面である第１の反射面とレーザー光源側に第２の反射面が形成された光路圧縮素子を上記レーザー光源と上記対物レンズとの間の光路上に配置し、上記光路圧縮素子は上記レーザー光源から出射されて入光したレーザー光を上記第１の反射面と上記第２の反射面とで内面反射させて対物レンズ方向に出光させるようにしたものである。
【００１０】
従って、本発明光学ピックアップ装置によれば、レーザー光源から対物レンズまでの距離が短縮される。
【００１１】
【発明の実施の形態】
以下に、本発明光学ピックアップ装置の詳細を、図１に示す基本的構成例と共に説明する。
【００１２】
光学ピックアップ装置内の下方側に位置する平板状をした基台１上には、レーザー光を出射したりその戻り光を読み取ったりするための各種の光学部品を備えたレーザーカプラー２が設けられている。
【００１３】
レーザーカプラー２は図示しないオぺアンプ（演算増幅器）と光検出器とが集積されたシリコン基板３と該シリコン基板３上の左右に設けられた半導体レーザー等のレーザー光源４とプリズム５とを有している。
【００１４】
光路圧縮素子６はガラス等の透明材料により形成され、上下方向に短い円柱状をした基部７と該基部７の上側に位置する略円錐台形状をした突出部８とが一体に形成されて成る。
【００１５】
光路圧縮素子６にはその下面に開口する収納空間９が形成され、該収納空間９は上記レーザーカプラー２が余裕をもって収納される大きさに形成されている。
【００１６】
光路圧縮素子６の頂部にはその上面に開口する凹部１０が形成され、該凹部１０は下側に凸の逆円錐状に形成されている。そして、凹部１０の内面は上記レーザーカプラー２のレーザー光源４から出射されるレーザー光が反射される第１の反射面６ａとされている。尚、第１の反射面６ａは該第１の反射面６ａにレーザー光が照射されるときにその入射角が臨界角よりも大きくなるように、即ち、レーザー光が第１の反射面６ａで全反射するように、かつ、第１の反射面６ａで反射されたレーザー光が光路圧縮素子６の後述する第２の反射面に向かうように一定の角度をもって形成されている。
【００１７】
上記収納空間９を形成する上下方向を向く面のうち中央部を除く部分でその内面は、上記第１の反射面６ａで反射されたレーザー光が再び反射される第２の反射面６ｂとされている。尚、第２の反射面６ｂはその外面に図示しない反射膜が施され、全反射面として形成されている。そして、収納空間９を形成する上下方向を向く面の中央部はレーザー光源４から出射されるレーザー光が透過されて光路圧縮素子６内に入光するための透過面６ｃとされている。
【００１８】
光学ピックアップ装置内で光路圧縮素子６の上方には図示しない２軸アクチュエータに保持された上下に凸の対物レンズ１１が位置している。また、対物レンズ１１の上方にはその記録面が下側を向いた状態で光学ディスク１２が位置している。
【００１９】
しかして、レーザーカプラー２のレーザー光源４からプリズム５に向けて出射されたレーザー光はプリズム５によって上方へ向けて反射される。上方へ向けて反射されたレーザー光は光路圧縮素子６の透過面６ｃを透過し、光路圧縮素子６内に入光される。
【００２０】
レーザー光が光路圧縮素子６内に入光するときにはレーザー光は透過面６ｃで稍屈折され、光路圧縮素子６の第１の反射面６ａに向かう。そして、レーザー光は第１の反射面６ａで全反射され、反射されたレーザー光は第２の反射面６ｂに向かう。
【００２１】
次いで、第２の反射面６ｂに向かったレーザー光は第２の反射面６ｂで全反射され光路圧縮素子６の突出部８の外周面から光路圧縮素子６の上方に位置する対物レンズ１１に向かって出射される。尚、第２の反射面６ｂで反射され対物レンズ１１に向かうレーザー光は突出部８の外周面で屈折される。
【００２２】
対物レンズ１１に向かったレーザー光は対物レンズ１１により集光性を与えられて対物レンズ１１の上方に位置する光学ディスク１２の記録面に照射される。そして、光学ディスク１２の記録面に照射されたレーザー光は該記録面で反射されレーザーカプラー２から光学ディスク１２に至る光路を逆に進みレーザーカプラー２に導かれる。即ち、光学ディスク１２の記録面−対物レンズ１１−光路圧縮素子６の突出部８の外周面−第２の反射面６ｂ−第１の反射面６ａ−透過面６ｃ−レーザーカプラー２という光路を辿ることになる。そして、レーザー光がレーザーカプラー２に導かれるとレーザーカプラー２に設けられた光検出器によって信号の読み取りが為される。
【００２３】
しかして、上記のとおり、レーザーカプラー２から出射されたレーザー光は対物レンズ１１に至るまでに光路圧縮素子６の第１の反射面６ａと第２の反射面６ｂとで反射され光路が折り返されるようにされているため、レーザーカプラー２から対物レンズ１１までの光路上に光路圧縮素子６を介在させない場合に比しレーザーカプラー２から対物レンズ１１までの距離を短縮することが出来る。
【００２４】
図２は本発明光学ピックアップ装置の実施の形態の一例を示すものである。
【００２５】
この実施の形態の一例が上記基本的構成例と比較して相違する点は、基台の形状と光路圧縮素子の形状が異なる点のみであるので、その説明は該相違点についてのみ行い、他の部分については図面の各部に上記基本的構成例に係る光学ピックアップ装置における同様の部分に付した符号と同じ符号を付すことによりその説明を省略する。
【００２６】
光学ピックアップ装置内の下方側に上面が開口された箱状の基台１Ａが位置されており、その凹部がレーザーカプラー２が収納される収納空間９Ａとされている。
【００２７】
光路圧縮素子６Ａはガラス等の透明材料により形成され、上側に凸の略半球状を為し、基台１Ａの開口を覆うようにして位置されている。そして、光路圧縮素子６Ａの頂部にはその上面に開口する凹部１０Ａが形成され、該凹部１０Ａは下側に凸の略半球状に形成されている。
【００２８】
凹部１０Ａの内面と光路圧縮素子６Ａの下面のうち中央部を除く部分の内面とはそれぞれレーザー光が全反射される第１の反射面６ｄ、第２の反射面６ｅとされている。そして、光路圧縮素子６Ａの下面の中央部はレーザー光が透過される透過面６ｆとされている。
【００２９】
しかして、この実施の形態の一例においても、凹部１０Ａの内面と光路圧縮素子６Ａの下面のうち中央部を除く部分の内面とが２つの反射面６ｄ、６ｅとして形成されているため、上記基本的構成例と同様の効果を奏す。
【００３０】
尚、頂部に凹部１０、１０Ａ何れを形成した場合においても、凹部１０、１０Ａの内面が全反射面とされているためその上方にはレーザー光が照射されず、そのため光学ディスク１２にはレーザー光が照射されない部分（以下「デッドスポット」という。）が生じるが、該デッドスポットの大きさは光学ディスク１２の記録面に照射されたレーザー光の信号を読み取る際において支障とはならない程度の大きさであり、デッドスポットが生じることによって光学ピックアップ装置の性能が低下するようなことはない。
【００３１】
【発明の効果】
以上に記載したところから明らかなように、本発明光学ピックアップ装置は、レーザー光源と、該レーザー光源から出射されたレーザー光を光学ディスクの記録面に集光する対物レンズと、該対物レンズを保持する２軸アクチュエータとを備えた光学ピックアップ装置であって、対物レンズ方向に突出する半球形状を為すと共に該半球形状の頂部に凹部が形成され、該凹部の内面である第１の反射面とレーザー光源側に第２の反射面が形成された光路圧縮素子を上記レーザー光源と上記対物レンズとの間の光路上に配置し、上記光路圧縮素子は上記レーザー光源から出射されて入光したレーザー光を上記第１の反射面と上記第２の反射面とで内面反射させて対物レンズ方向に出光させることを特徴とする。
【００３２】
従って、本発明光学ピックアップ装置によれば、レーザー光が２つの反射面で反射されその光路が折り返されるようにされているため、レーザー光源から対物レンズまでの距離を短縮することが出来る。
【００３３】
依って、光学ピックアップ装置の小型化及び／又は薄型化延いては光学ピックアップ装置が用いられる音響機器等の小型化及び／又は薄型化が可能である。
【００３４】
尚、上記発明の実施の形態の一例に示した各部の形状及び構造は、何れも本発明を実施するに際しての具体化のほんの一例を示したものにすぎず、これらによって本発明の技術的範囲が限定的に解釈されることがあってはならないものである。
【図面の簡単な説明】
【図１】本発明光学ピックアップ装置の基本的構成例を示すものであり、本図は一部を断面にして示す概略拡大側面図である。
【図２】本発明光学ピックアップ装置の実施の形態の一例を一部を断面にして示す概略拡大側面図である。
【図３】従来の光学ピックアップ装置におけるレーザー光源と対物レンズと光学ディスクとの位置関係を示す概念図である。
【符号の説明】
４  レーザー光源
６Ａ  光路圧縮素子
６ｄ  第１の反射面
６ｅ  第２の反射面
１０Ａ  凹部
１１  対物レンズ
１２  光学ディスク
【図１】
0003555633.tif 000002
【図２】
0003555633.tif 000003
【図３】
0003555633.tif 000004